(57)【特許請求の範囲】
【請求項１】
正極及び負極が交互に並ぶように重ねられた複数の電池から構成された電池集合体と、互いに隣り合う前記電池の正極及び負極を接続することでこれら複数の電池を直列に接続するバスバと、前記バスバに接続されると共に電線が取り付けられる端子と、前記バスバを収容するバスバ収容部及び前記端子の電線接続部を収容する電線接続部収容部が設けられたプレートと、を備えた電源装置において、
前記端子が、底板と、この底板から立設され、互いの間に電線が位置づけられる一対の側板と、前記一対の側板から内側に向かって突出し、互いの間に前記電線が圧入されると前記電線の絶縁被覆を突き破って当該電線の芯線に圧接される少なくとも一対の圧接刃と、を備え、
前記プレートの電線接続部収容部には、前記端子の側板の上面に係止する係止爪が設けられている
ことを特徴とする電源装置。
【請求項２】
前記バスバと前記端子とが一体に形成されている
ことを特徴とする請求項１に記載の電源装置。
【請求項３】
前記端子が、前記バスバ上に重ねて設けられ、
前記バスバの端部と前記端子の端部とを連結して一体にする連結部を備えた
ことを特徴とする請求項２に記載の電源装置。
【請求項４】
前記バスバが、１枚の金属板を１８０度折り曲げて重ねた一方から構成され、
前記端子が、前記１枚の金属板を１８０度折り曲げて重ねた他方から構成されている
ことを特徴とする請求項３に記載の電源装置。
【請求項５】
正極及び負極が交互に並ぶように重ねられた複数の電池のうち互いに隣り合う前記電池の正極及び負極を接続することでこれら複数の電池を直列に接続するバスバと、前記バスバに接続されると共に電線が取り付けられる端子と、前記バスバを収容するバスバ収容部及び前記端子の電線接続部を収容する電線接続部収容部が設けられたプレートと、を備えた電池接続体において、
前記端子が、底板と、この底板から立設され、互いの間に電線が位置づけられる一対の側板と、前記一対の側板から内側に向かって突出し、互いの間に前記電線が圧入されると前記電線の絶縁被覆を突き破って当該電線の芯線に圧接される少なくとも一対の圧接刃と、を備え、
前記プレートの電線接続部収容部には、前記端子の側板の上面に係止する係止爪が設けられている
ことを特徴とする電池接続体。
【発明の詳細な説明】
【技術分野】
【０００１】
本発明は、電源装置及び電池接続体に係り、特に、ハイブリット車や電気自動車などに搭載される電源装置及び当該電源装置に用いられる電池接続体に関するものである。
【背景技術】
【０００２】
例えば、電動モータなどを用いて走行する電気自動車や、エンジンと電動モータとを併用して走行するハイブリッド自動車などには、前記電動モータの駆動源として上述した電源装置が搭載されている。電源装置は、電池集合体１（図１）と、この電池集合体１に取り付けられる電池接続体２（図７）と、から構成されている。図１に示すように上記電池集合体１は、互いに重ねられた複数の電池１０から構成されている。複数の電池１０にはそれぞれ、箱型の筐体から突出された正極１２と負極１３とが設けられている。複数の電池１０は、正極１２及び負極１３が交互に並ぶように重ねられている。【０００３】
電池接続体２は、図７に示すように、互いに隣り合う電池１０の正極１２及び負極１３を接続することで複数の電池１０を直接に接続する複数のバスバ３と、各バスバ３に接続される端子４と、各端子４に接続された電線５と、図示しないアース線と、これらを収容した合成樹脂製のプレート６と、を備えている。【０００４】
上記バスバ３は、互いに隣り合う電池１０の正極１２及び負極１３をそれぞれ通すことができる一対のバスバ孔３ａが設けられている。バスバ３は、一対のバスバ孔３ａの一方を隣り合う電池１０の一方に設けた正極１２に通して、正極１２に取り付けられる。バスバ３は、一対のバスバ孔３ａの他方を隣り合う電池１０の他方に設けた負極１３に通して、負極１３に取り付けられる。このように取り付けることにより、バスバ３は、隣り合う電池１０の正極１２及び負極１３を電気的に接続する。【０００５】
上記端子４は、バスバ接続部４１と、電線接続部４２と、から構成されている。バスバ接続部４１は、正極１２及び負極１３の何れか一方が通される端子孔４１ａが設けられている。バスバ接続部４１は、端子孔４１ａに正極１２及び負極１３の何れか一方を通した状態でバスバ３に重ねられる。バスバ接続部４１は、バスバ３の略半分の面積である。電線接続部４２は、バスバ接続部４１に一体に設けられている。電線接続部４２は、電線５の芯線が圧着される一対の圧着片１００から構成されている。上記電線５は、図示しない各電池１０の両端電圧を検出する電圧検出手段に接続されている。【０００６】
プレート６は、バスバ収容部６１、電線収容部６２、及び、電線接続部収容部６３などが一体に設けられている。上記バスバ収容部６１は、バスバ３を嵌め込むことができる箱型に設けられていて、バスバ３とこのバスバ３に重ねられるバスバ接続部４１とを収容する。このバスバ収容部６１の底壁には、正極１２及び負極１３をそれぞれ通すことができる図示しない一対のプレート孔が設けられている。電線収容部６２は、樋形状に設けられていて、電線５を収容する。電線接続部収容部６３は、バスバ収容部６１と電線収容部６２とを連通するように樋形状に設けられていて、電線接続部４２を収容する。【０００７】
前述した構成の電源装置は、以下のように組み立てられる。電源装置を組み立てる際は、バスバ３、端子４、プレート６、などを別々に製造しておく。また、端子４にはあらかじめ電線５を接続しておく。なお、上記端子４と電線５の接続手順は、以下のようにして行われる。まず、電線５の端部の絶縁被覆を除去した芯線を露出させる。その後、芯線を一対の圧着片１００の間に位置づけた後、一対の圧着片１００をかしめて電線接続部４２に電線５を圧着させる。【０００８】
次に、図示しないプレート孔とバスバ孔３ａとが重なるように、プレート６のバスバ収容部６１にバスバ３を収容する。次に、端子孔４１ａと一対のバスバ孔３ａの一方とが重なるように、バスバ接続部４１をバスバ３上に重ねてバスバ収容部６１に収容する。このとき、電線接続部４２が電線接続部収容部６３内に収容されるように、バスバ接続部４１をバスバ３上に重ねる。その後、電線５を電線収容部６２内に配索する。【０００９】
次に、前述したような手順で組み立てられた電池接続体２を電池集合体１に取り付ける。即ち、互いに重ねられた図示しない一対のプレート孔及び一対のバスバ孔３ａの一方を隣り合った電池１０の正極１２に通し、他方を負極１３に通し、さらに端子孔４１ａを正極１２及び負極１３の何れか一方に通すように、電池集合体１の上面に電池接続体２を配置する。その後、ナットを電池１０の負極１３及び正極１２に螺合することにより、電池接続体２を電池１０に固定する。
【先行技術文献】
【特許文献】
【００１０】
【特許文献１】特開２００６−２６９１０４号公報
【発明の概要】
【発明が解決しようとする課題】
【００１１】
上述した電源装置によれば、電線接続部４２が電線５を圧着する一対の圧着片１００から構成されているので、電線収容部６２内への電線５の配索を手作業で行う必要があり、コスト的に問題があった。また、端子４は正極１２及び負極１３の何れか一方しか通されていない。このため、ナットを締結するときに端子４が端子孔４１ａに通された正極１２又は負極１３を中心に回転してしまい、電線接続部４２に負荷が発生してしまうことがある。これを防止するために、従来の電源装置には、端子４のバスバ３に設けた廻り止め突起４１ｂと、バスバ収容部６１の側壁に設けた廻り止め突起４１ｂが挿入されるスリットと、から構成された端子４の廻り止め構造が設けられている。これにより、ナットを締結する際に端子４が回転しようとしても、廻り止め突起４１ｂがスリットの内壁に当接して回転が規制される。従来の電源装置においては、上述した廻り止め構造を電池接続体２に設ける必要があり、構造が複雑となり、コスト的に問題があった。【００１２】
そこで、本発明は、電線の配索を自動化することにより、コストダウンを図った電源装置及び電池接続体を提供することを課題とする。
【課題を解決するための手段】
【００１３】
上記課題を解決するためになされた請求項１記載の発明は、正極及び負極が交互に並ぶように重ねられた複数の電池から構成された電池集合体と、互いに隣り合う前記電池の正極及び負極を接続することでこれら複数の電池を直列に接続するバスバと、前記バスバに接続されると共に電線が取り付けられる端子と、前記バスバを収容するバスバ収容部及び前記端子の電線接続部を収容する電線接続部収容部が設けられたプレートと、を備えた電源装置において、前記端子が、底板と、この底板から立設され、互いの間に電線が位置づけられる一対の側板と、前記一対の側板から内側に向かって突出し、互いの間に前記電線が圧入されると前記電線の絶縁被覆を突き破って当該電線の芯線に圧接される少なくとも一対の圧接刃と、を備え、前記プレートの電線接続部収容部には、前記端子の側板の上面に係止する係止爪が設けられていることを特徴とする電源装置に存する。
【００１４】
請求項２記載の発明は、前記バスバと前記端子とが一体に形成されていることを特徴とする請求項１に記載の電源装置に存する。【００１５】
請求項３記載の発明は、前記端子が、前記バスバ上に重ねて設けられ、前記バスバの端部と前記端子の端部とを連結して一体にする連結部を備えたことを特徴とする請求項２に記載の電源装置に存する。【００１６】
請求項４記載の発明は、前記バスバが、１枚の金属板を１８０度折り曲げて重ねた一方から構成され、前記端子が、前記１枚の金属板を１８０度折り曲げて重ねた他方から構成されていることを特徴とする請求項３に記載の電源装置に存する。【００１７】
請求項５記載の発明は、正極及び負極が交互に並ぶように重ねられた複数の電池のうち互いに隣り合う前記電池の正極及び負極を接続することでこれら複数の電池を直列に接続するバスバと、前記バスバに接続されると共に電線が取り付けられる端子と、前記バスバを収容するバスバ収容部及び前記端子の電線接続部を収容する電線接続部収容部が設けられたプレートと、を備えた電池接続体において、前記端子が、底板と、この底板から立設され、互いの間に電線が位置づけられる一対の側板と、前記一対の側板から内側に向かって突出し、互いの間に前記電線が圧入されると前記電線の絶縁被覆を突き破って当該電線の芯線に圧接される少なくとも一対の圧接刃と、を備え、前記プレートの電線接続部収容部には、前記端子の側板の上面に係止する係止爪が設けられていることを特徴とする電池接続体に存する。
【発明の効果】
【００１８】
以上説明したように請求項１及び５記載の発明によれば、電線接続部を、互いの間に電線が圧入されると電線の絶縁被覆を突き破って当該電線の芯線に圧接される一対の圧接刃から構成することにより、電線の配索を自動化することができ、コストダウンを図ることができる。【００１９】
請求項２記載の発明によれば、端子が正極及び負極の２つの電極に取り付けられるバスバと一体に形成されているので、ナットを電極に締結する際の端子の廻り止め構造を設ける必要がなく、コストダウンを図ることができる。【００２０】
請求項３記載の発明によれば、バスバの端部と端子の端部とを連結部で連結するだけで、簡単にバスバと端子とを一体にすることができる。【００２１】
請求項４記載の発明によれば、１枚の金属板を折り曲げ加工するだけで簡単にバスバと端子とを一体にすることができる。
【図面の簡単な説明】
【００２２】
【図１】本発明の電源装置の一実施形態を示す分解斜視図である。
【図２】第１実施形態における図１に示す電池接続体の部分上面図である。
【図３】（Ａ）は図２に示すバスバの斜視図であり、（Ｂ）は図２に示すバスバ及び端子の斜視図である。
【図４】（Ａ）は自動布線機の一例を示す側面図であり、（Ｂ）は（Ａ）に示す自動布線機の部分斜視図である。
【図５】第２実施形態における本発明の電池接続体の上面図である。
【図６】（Ａ）は図５に示すバスバ・端子ユニットを示す斜視図であり、（Ｂ）は図５に示すバスバ・端子ユニットの曲げ加工前の状態を示す斜視図である。
【図７】従来の電池接続体の一例を示す上面図である。
【発明を実施するための形態】
【００２３】
第１実施形態
以下、本発明の第１実施形態を図１〜図４を参照して説明する。図１は、本発明の電源装置の一実施形態を示す分解斜視図である。図２は、第１実施形態における図１に示す電池接続体の部分上面図である。図３（Ａ）は図２に示すバスバの斜視図であり、図３（Ｂ）は図２に示すバスバ及び端子の斜視図である。図４（Ａ）は自動布線機の一例を示す側面図であり、図４（Ｂ）は図４（Ａ）中の圧接クリンパの拡大斜視図である。
【００２４】
図２に示す電池接続体２は、図１に示す電池集合体１に取り付けられて電源装置を構成する。また、この電源装置は、電動モータを用いて走行する電気自動車や、エンジンと電動モータとを併用して走行するハイブリッド自動車などに搭載され、前記電動モータに電力を供給するものである。
【００２５】
図１に示すように、上記電池集合体１は、複数の電池１０と、これら複数の電池１０を互いに重ねて固定する図示しない固定部材と、を備えている。また、各電池１０は、方体状の電池本体１１と、この電池本体１１の上面の一端及び他端からそれぞれ突出した正極１２及び負極１３と、を備えている。これら正極１２及び負極１３はそれぞれ、導電性の金属により円柱状に形成され、その外周面にはネジ溝が設けられている。
【００２６】
さらに、複数の電池１０は、重なり方向に沿って正極１２及び負極１３が交互に並ぶように重ねられている。正極１２及び負極１３が交互に並んだ列は、二列となる。また、図１中の矢印Ｘは、複数の電池１０の重なり方向、及び、電池集合体１の長手方向を示し、矢印Ｚは、電池集合体１の幅方向を示し、矢印Ｙは、電池集合体１の高さ方向を示している。
【００２７】
上記電池接続体２は、主に前述した複数の電池１０を直列接続するものである。電池接続体２は、図２などに示すように、互いに隣り合う電池１０の正極１２及び負極１３を接続することで複数の電池１０を直列に接続する複数のバスバ３と、各電池１０の端子電圧を検出するために各バスバ３に接続された複数の端子４と、各端子４に接続された電線５と、図示しないアース線と、これらを収容した合成樹脂製のプレート６と、を備えている。
【００２８】
上記バスバ３は、図３（Ａ）などに示すように、導電性の例えば０．８ｍｍ厚の金属板にプレス加工が施されるなどして得られるものであり、板状の金属板に、互いに隣り合う電池１０の正極１２及び負極１３が通される一対のバスバ孔３ａが設けられた構成である。バスバ３は、一対のバスバ孔３ａの一方を隣り合う電池１０の一方に設けた正極１２に通して、正極１２に取り付けられる。また、バスバ３は、一対のバスバ孔３ａの他方を隣り合う電池１０の他方に設けた負極１３に通して、負極１３に取り付けられる。そして、バスバ３は、バスバ孔３ａに通された正極１２及び負極１３にナットＮ（図１）が螺合されることで電池１０に固定される。
【００２９】
上記端子４は、導電性の金属板にプレス加工が施されるなどして得られるものである。この端子４を形成するための金属板の厚さは、後述する圧接刃４２ｄを形成するために、バスバ３を形成するための金属板の厚さより薄くしている（例えば０．４ｍｍ）。上記端子４は、図３（Ｂ）などに示すように、バスバ３に重ねられてバスバ３と電気的に接続されるバスバ接続部４１と、バスバ接続部４１に接続されると共に電線５が取り付けられる電線接続部４２と、から構成されている。バスバ接続部４１は、板状の金属に正極１２及び負極１３の何れか一方が通される端子孔４１ａと、電線接続部４２とは端外側の端部から突出する端子４の廻り止め突起４１ｂと、が設けられた構成である。バスバ接続部４１は、バスバ３の略半分の面積である。電線接続部４２は、その表面上に電線５を位置づける底板４２ａと、この底板４２ａから立設された一対のかしめ片４２ｂと、底板４２ａから立設され互いの間に電線５が位置づけられる一対の側板４２ｃと、一対の側板４２ｃから内側に向かって突出する三対の圧接刃４２ｄと、が設けられている。
【００３０】
上記一対のかしめ片４２ｂは、電線５端部の絶縁被覆をかしめて電線５を電線接続部４２に固定する。三対の圧接刃４２ｄはそれぞれ、一対の側板４２ｃの一部を略コ字状に切り欠いて内側に押すことによって形成されている。三対の圧接刃４２ｄは、電線５の長手方向に沿って、互いに間隔をあけて３つ設けられている。三対の圧接刃４２ｄはそれぞれ、相対する位置に設けられ、互いの間に電線５を圧入すると電線５の絶縁被覆を突き破って電線５の芯線に圧接される。こうして、圧接刃４２ｄは、電線５と端子４とを電気的に接続するとともに、電線５が電線接続部４２の長手方向に位置ずれすることを防止する。
【００３１】
上記電線５は、一端部が電線接続部４２に取り付けられていると共に、他端部が後述する電圧検出手段に接続されている。そして、電線接続部４２に取り付けられた電線５（即ち端子４）は、後述するプレート６の電線収容部６２に配索される。電線５は、導電性の芯線を絶縁被覆で覆った所謂被覆電線である。また、この電線５は、断面が丸形の丸電線である。
【００３２】
上記プレート６は、電池集合体１の上面と略等しい略長方形に形成されている。そして、プレート６は、図１に示すように、電池集合体１の上面に重ねられる。プレート６は、図１及び図２などに示すように、複数のバスバ収容部６１、複数の電線収容部６２、複数の電線接続部収容部６３、及び、ヒンジ６４などが設けられている。
【００３３】
上記バスバ収容部６１は、図１及び図２に示すように、バスバ３を嵌め込むことができる箱型に設けられていて、バスバ３及びバスバ３に重ねられたバスバ接続部４１が収容される。複数のバスバ収容部６１は、複数の電池１０の重なり方向、即ち矢印Ｘ、に沿って並べられている。また、これら複数のバスバ収容部６１が並べられた列は、図１に示すように、プレート６の幅方向に沿って、即ち矢印Ｚに沿って、互いに間隔をあけて二列設けられている。また、各バスバ収容部６１は、図２に示すように、バスバ３を表面上に位置付ける底壁６１ａと、この底壁６１ａの外縁から立設した周壁６１ｂと、によって箱型に形成されている。また、前記底壁６１ａには、正極１２及び負極１３をそれぞれ通すことができる図示しない一対のプレート孔が設けられている。さらに、前記周壁６１ｂには、バスバ接続部４１に設けた廻り止め突起４１ｂを挿入することができる図示しないスリットが設けられている。上述したバスバ接続部４１に設けた廻り止め突起４１ｂと、バスバ収容部６１の周壁６１ｂに設けたスリットと、が従来と同様にナット締結時の端子４の廻り止め構造をなしている。
【００３４】
上記複数の電線収容部６２は、複数のバスバ収容部６１の並び方向と平行な直線上に複数並べられる。電線収容部６２はそれぞれ、各端子４に接続された複数の電線５を収容可能な樋形状に設けられている。また、これら複数の電線収容部６２が並べられた列は、図１に示すように、プレート６の幅方向に沿って、即ち矢印Ｚに沿って、互いに間隔をあけて二列設けられている。また、複数の電線収容部６２は、前述した二列の間に、上記複数のバスバ収容部６１を並べた二列を位置付けるように配置されている。また、複数の電線収容部６２はそれぞれ、図２に示すように、複数の電線５を表面上に位置付ける底壁６２ａと、この底壁６２ａの矢印Ｚ方向の両端部から立設した側壁６２ｂと、によって樋形に形成されている。
【００３５】
上記複数の電線接続部収容部６３は、互いに間隔をあけて対向するバスバ収容部６１と電線収容部６２とを連結し、端子４の電線接続部４２を収容する。複数の電線接続部収容部６３は、図１に示すように、プレート６の幅方向に沿って、即ち矢印Ｚに沿って、互いに対向するバスバ収容部６１の底壁６１ａと電線収容部６２の底壁６２ａとを連結した底壁６３ａと、底壁６３ａの外縁から立設しかつプレート６の幅方向に沿って互いに対向するバスバ収容部６１の周壁６１ｂと電線収容部６２の側壁６２ｂとを連結した一対の連結壁６３ｂと、によって樋形に形成されている。前記底壁６３ａは、表面上に端子４の電線接続部４２を位置付ける。また、連結壁６３ｂの上面には、電線接続部４２に設けた一対の側板４２ｃの上面に係止する係止爪６３ｃが設けられている。
【００３６】
ヒンジ６４は、互いに隣接するバスバ収容部６１同士を連結しており、弾性変形自在に形成されている。また、ヒンジ６４は、断面Ｃ字形状に形成されており、Ｃ字形状の両端部が互いに近づく方向、または、Ｃ字形状の両端部が互いに離れる方向に弾性変形すること、即ち伸縮するように弾性変形することで、互いに隣接するバスバ収容部６１間の間隔を変更させる。
【００３７】
続いて、上述した電源装置の組み立て手順を説明する。電源装置を組み立てる際は、プレート６、バスバ３、端子４などは別々に製造しておく。まず、バスバ３をバスバ収容部６１の底壁６１ａに重ねるように近づけて、プレート６のバスバ収容部６１にバスバ３を嵌め込む。バスバ収容部６１にバスバ３を嵌め込むとバスバ収容部６１に設けた図示しないプレート孔とバスバ孔３ａとが重なる。または、予めバスバ収容部６１に各バスバ３をインサート成形するようにしてもよい。次に、端子４のバスバ接続部４１に設けた廻り止め突起４１ｂをバスバ収容部６１の周壁６１ｂに設けた図示しないスリットに挿入させると共に、バスバ３上に端子４のバスバ接続部４１を重ねて、バスバ収容部６１に端子４を収容する。従来では、電線５が既に取り付けられた端子４のバスバ接続部４１をバスバ収容部６１に収容していたが、本発明では電線５が取り付けられていない端子４のバスバ接続部４１をバスバ収容部６１に収容している。このため、予めバスバ収容部６１に端子４をインサート成形することもできる。
【００３８】
次に、例えば図４に示す自動布線機７を用いて、電線５の端部を端子４の電線接続部４２に接続すると共に、電線５を電線収容部６２内に配索する。図４に示す自動布線機７について以下説明する。同図に示すように、自動布線機７は、布線ヘッド７１と、圧接クリンパ７２と、これら部材を支持するための固定フレーム７３と、固定フレーム７３上に設けられた布線板を載せて前後左右に移動できるＸ−Ｙテーブル７５と、を備えている。
【００３９】
上記布線ヘッド７１のケーシング７１ａは、固定フレーム７３の上部プレート７６に昇降自在に設けられている。上記上部プレート７６の上端部には、電線引込管７７が設けられている。また、ケーシング７１ａの下端部には電線供給管７８が設けられている。また、ケーシング７１ａの側面には、電線圧入用の逆Ｖ字状の一対の圧接クリンパ７２を昇降自在に設けている（図４（Ｂ）参照）。次に、図４に示す構成の自動布線機７を用いて、電線５の端部を端子４の電線接続部４２に接続すると共に、電線５を電線収容部６２内に配索する工程について説明する。
【００４０】
また、布線板の上にバスバ３及び端子４を収容したプレート６を載せる。次に、電線供給管７８が先端が電線収容部６２内の電線５を配索させたいラインに沿って移動するようにＸ−Ｙテーブル７５を移動させる。詳しくは、電線供給管７８の先端が電線収容部６２の矢印Ｘ方向の端部から接続したい端子４の電線接続部４２に向かって移動するようにＸ−Ｙテーブル７５を移動させる。電線５は、Ｘ−Ｙテーブル７５の移動に伴い、ケーシング７１ａに内蔵された図示しない電線送り装置により、電線供給管７８から送り出されるようになる。これにより、電線収容部６２内に電線５を配索することができる。
【００４１】
電線供給管７８を端子４の電線接続部４２まで移動させた後は、図４（Ｂ）に示すように、最も電線収容部６２側の一対の圧接刃４２ｄ間の真上に電線供給管７８から供給された電線５が配されるようにＸ−Ｙテーブル７５を移動する。なお、図４（Ｂ）においては、電線接続部４２の側板４２ｃについては省略している。その後、一対の圧接クリンパ７２を下降させて、電線５を一対の圧接刃４２ｄ間に圧入する。これにより、圧接刃４２ｄが電線５の絶縁被覆を破って電線５の芯線に圧接する。その後、残りの二つの圧接刃４２ｄについても同様の工程で電線５を圧接させる。上記Ｘ−Ｙテーブル７５の移動はマイクロコンピュータなどによって制御されている。その後、一対のかしめ片４２ｂをかしめて電線５を固定した後、従来と同様にバスバ３、端子４、電線５が取り付けられたプレート６である電池接続体２を電池集合体１に取り付けて完成する。
【００４２】
上述した電源装置によれば、電線接続部４２が、互いの間に電線５が圧入されると電線５の絶縁被覆を突き破って当該電線５の芯線に圧接される少なくとも一対の圧接刃４２ｄから構成されている。このため、図４に示すような自動布線機７を用いて電線５の配索を自動化することができ、コストダウンを図ることができる。
【００４３】
第２実施形態
次に、本発明の第２実施形態を図５及び図６を参照して以下説明する。図５は、第２実施形態における本発明の電池接続体２の上面図である。図６（Ａ）は図５に示すバスバ・端子ユニットを示す斜視図であり、図６（Ｂ）は図５に示すバスバ・端子ユニットの曲げ加工前の状態を示す斜視図である。
【００４４】
上述した第１実施形態では、バスバ３と端子４とを別々に設けていたが、第２実施形態ではバスバ３と端子４とをバスバ・端子ユニット８として一体に設けている。図６（Ａ）に示すように、バスバ・端子ユニット８は、１枚の金属板をプレス加工することにより、バスバ３と、端子４と、連結部９と、が一体に形成されている。バスバ３は、第１実施形態と同様に互いに隣り合う電池１０の正極１２及び負極１３が通される一対のバスバ孔３ａが設けられた構成である。端子４は、第１実施形態と同様に、バスバ３に重ねられてバスバ３と電気的に接続されるバスバ接続部４１と、バスバ接続部４１に接続された電線５が取り付けられる電線接続部４２と、から構成されている。
【００４５】
上記バスバ接続部４１は、第１実施形態と異なり、バスバ３と同じ大きさ、形状に設けられていて、正極１２及び負極１３が通される一対の端子孔４１ａが設けられている。上記電線接続部４２は、第１実施形態と同様に、その表面上に電線５を位置づける底板４２ａと、この底板４２ａから立設された一対のかしめ片４２ｂと、底板４２ａから立設され互いの間に電線５が位置づけられる一対の側板４２ｃと、一対の側板４２ｃから内側に向かって突出する三対の圧接刃４２ｄと、が設けられている。これら底板４２ａ、一対のかしめ片４２ｂ、一対の側板４２ｃ、及び、圧接刃４２ｄについては第１実施形態で既に説明してあるのでここでは詳細な説明は省略する。上記連結部９は、バスバ３及び端子４を連結する。連結部９は、バスバ３及び端子４の一対のバスバ孔３ａ、一対の端子孔４１ａの並び方向（即ち矢印Ｘ）に沿った端部同士を連結するように設けられている。
【００４６】
次に、上述したバスバ・端子ユニット８の形成工程について説明する。まず、１枚の金属を図６（Ａ）に示すように打ち抜く。このバスバ・端子ユニット８を形成する金属板は、圧接刃４２ｄを形成できるように従来バスバ３で使用される１ｍｍ厚の約半分（０．４ｍｍ）の厚みで構成されている。この図６（Ａ）に示す金属板を連結部９に沿って１８０度折り曲げてバスバ３とバスバ接続部４１とを重ねる。このバスバ３とバスバ接続部４１との両方合わせた厚みは、従来のバスバ３とほぼ同じになり、強度を確保することができる。その後、電線接続部４２をプレス加工により形成する。
【００４７】
続いて、上述した構成の電源装置の組み立て手順を説明する。電源装置を組み立てる際は、プレート６、バスバ・端子ユニット８を別々に接続しておく。まず、バスバ・端子ユニット８のバスバ３をバスバ収容部６１の底壁６１ａに重ねるように近づけて、プレート６のバスバ収容部６１にバスバ・端子ユニット８を嵌め込む。バスバ収容部６１にバスバ・端子ユニット８を嵌め込むと図示しないプレート孔、バスバ孔３ａ、端子孔４１ａが互いに重なる。または、予めバスバ収容部６１に各バスバ・端子ユニット８をインサート成形するようにしてもよい。なお、バスバ収容部６１にバスバ・端子ユニット８を嵌め込む際には第１実施形態と同様に端子４に電線５は取り付けない。
【００４８】
次に、第１実施形態と同様に、例えば図４に示す自動布線機７を用いて、電線５の端部を端子４の電線接続部４２に接続すると共に、電線５を電線収容部６２内に配索する。その後、一対のかしめ片４２ｂをかしめて電線５を固定した後、従来と同様にバスバ３、端子４、電線５が取り付けられたプレート６を電池集合体１に固定して完成する。
【００４９】
上述した電源装置によれば、第１実施形態と同様に、電線接続部４２が、互いの間に電線５が圧入されると電線５の絶縁被覆を突き破って当該電線５の芯線に圧接される少なくとも一対の圧接刃４２ｄから構成されている。このため、図４に示すような自動布線機７を用いて電線５の配索を自動化することができ、コストダウンを図ることができる。
【００５０】
また、上述した電源装置によれば、バスバ接続部４１が正極１２及び負極１３の２つの電極に取り付けられるバスバ３と一体に形成されているので、第１実施形態のようにナットを電極に締結する際の端子４の廻り止め構造を設ける必要がなく、コストダウンを図ることができる。
【００５１】
また、上述した電源装置によれば、バスバ３の端部と端子４の端部とを連結部９で連結するだけで、簡単にバスバ３と端子４とを一体にすることができる。
【００５２】
また、上述した電源装置によれば、バスバ３が、１枚の金属板を１８０度折り曲げて重ねた一方から構成され、端子４が、１枚の金属板を１８０度折り曲げて重ねた他方から構成されているので、１枚の金属板を折り曲げ加工するだけで簡単にバスバ３と端子４とを一体にすることができる。
【００５３】
なお、上述した実施形態によれば、バスバ３が、１枚の金属板を１８０度折り曲げて重ねた一方から構成され、端子４が、１枚の金属板を１８０度折り曲げて重ねた他方から構成されているが、本発明はこれに限ったものではない。例えば、１枚の金属板の端部に電線接続部４２を設けて、この１枚の金属板をバスバ３とバスバ接続部４１としての機能を兼用させてもよい。
【００５４】
また、上述した第１及び第２実施形態によれば、バスバ接続部４１と一体に電線接続部４２が設けられていたが、本発明はこれに限ったものではない。例えば、バスバ接続部４１と電線接続部４２とを別体に設けても良い。
【００５５】
また、上述した第２実施形態によれば、バスバ３とバスバ接続部４１の一対のバスバ孔３ａ、端子孔４１ａが並ぶ方向（即ち矢印Ｚ）に沿って連結部９が設けられていたが、本発明はこれに限ったものではない。例えば、バスバ３とバスバ連結部９の上記並び方向と直交する方向（即ち矢印Ｙ）に沿って連結部９を設けるようにしてもよい。
【００５６】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５７】
１      電池集合体
３      バスバ
４      端子
５      電線
９      連結部
１０    電池
１２    正極
１３    負極
４２ｄ  圧接刃
【図１】
0005443495.tif 000002
【図２】
0005443495.tif 000003
【図３】
0005443495.tif 000004
【図４】
0005443495.tif 000005
【図５】
0005443495.tif 000006
【図６】
0005443495.tif 000007
【図７】
0005443495.tif 000008